(57)【要約】【課題】  無理な力をかけなくても誰でも簡単に操作でき、迅速にチューブ状部材の圧迫状態の保持と解除とを切り換えることができるようにする。【解決手段】  本考案の圧迫鉗子１は、回動支点を挟んで一方の端部に形成される圧迫部となる挟持部９、１１と、回動支点を挟んで他方の端部に形成される操作部となる指掛け部１３、１５と、上記挟持部９、１１と、指掛け部１３、１５を連結する連結杆１７、１９と、上記挟持部９、１１の圧迫状態を保持ないし解除する係止構造となるラチェット爪２１、２３とを具備する一対の鉗子片３、５が回動ピン７によって接続されており、上記指掛け部１３、１５に一方向Ａの力を加えるだけで、挟持部９、１１の圧迫状態の保持と解除とを繰り返し切り換えることができるように構成されている。【選択図】  図３
0003128374.tif 000002
【実用新案登録請求の範囲】
【請求項１】
回動支点を挟んで一方の端部に形成される圧迫部と、
回動支点を挟んで他方の端部に形成される操作部と、
上記圧迫部と操作部を連結する連結杆と、
上記圧迫部の圧迫状態を保持ないし解除する係止構造と、
を具備する一対の鉗子片が回動ピンによって所定の角度の範囲に亘って回動し得るように接続されているチューブ状部材に対して適用される圧迫鉗子において、
上記係止構造は対向して設けられる一対のラチェット爪を有し、上記操作部に一方向の力を加えるだけで上記圧迫部の圧迫状態の保持と解除とを繰り返し切り換えることができるように構成されていることを特徴とする圧迫鉗子。
【請求項２】
請求項１に記載の圧迫鉗子において、
上記一対のラチェット爪の一方には他方のラチェット爪が圧迫時に通る圧迫経路と、他方のラチェット爪が圧迫解除時に通る復帰経路が連続してループ状に形成されていることを特徴とする圧迫鉗子。
【請求項３】
請求項２に記載の圧迫鉗子において、
上記一方のラチェット爪の圧迫経路には他方のラチェット爪が圧迫時に摺接する案内傾斜面と、上記案内傾斜面によって案内された他方のラチェット爪が係止される鋸刃状の係止段部とが設けられており、
上記一方のラチェット爪の復帰経路には、上記係止段部との係止状態が解除された他方のラチェット爪を復帰経路に導いて、上記圧迫部の圧迫状態を解除させる経路切換え傾斜面が設けられていることを特徴とする圧迫鉗子。
【請求項４】
請求項３に記載の圧迫鉗子において、
上記係止段部は複数設けられており、段階的に上記圧迫部の圧迫力が調整できるように構成されていることを特徴とする圧迫鉗子。
【請求項５】
請求項１乃至４の何れかに記載の圧迫鉗子において、
上記圧迫鉗子は充填容器等に充填された薬液又は血液等を患者の体内に供給する場合に使用される医療用のチューブに対して適用されることを特徴とする圧迫鉗子。
【考案の詳細な説明】
【技術分野】
【０００１】
本考案は、充填容器等に充填された薬液又は血液等を患者の体内に供給する場合に使用される医療用のチューブ等に対して適用される流量調節器具としての圧迫鉗子に関するものである。
【背景技術】
【０００２】
人体の血管等、比較的管径の小さなチューブ状部材の圧迫には下記の特許文献１に示すような医療用クリップが使用されている。又、上記医療用クリップの装着には特許文献１に同じく開示されているような専用のクリップ用鉗子が使用されていた。
一方、薬液又は血液等が充填された吊下げ式の充填容器等から延びる比較的管径の大きなチューブＣの圧迫には図８に示すようなラチェット式の係止構造１０１を備える鋏様の形状をした圧迫鉗子１０３が使用されていた。
【０００３】
このような圧迫鉗子１０３は回動支点１０５を挟んで一方の端部に圧迫部となる挟持部１０７を有し、他方の端部に操作部となる指掛け部１０９を備えた一対の鉗子片１１１、１１１によって構成されている。
そして看護師等の使用者は上記指掛け部１０９に指を掛け、図９（ｂ）（ｃ）に示すように互いの指掛け部１０９、１０９を接近させる方向Ａに力を加えることによって対向する挟持部１０７、１０７を接近させてチューブＣを圧迫し、上記係止構造１０１によって当該圧迫状態を保持する。
【０００４】
次にチューブＣの上記圧迫状態を解除する場合には、図９（ｄ）に示すように係止構造１０１の係止状態を解除する方向Ｂに力を加え、例えば親指と人差し指を交差させて互いの指掛け部１０９、１０９を捻るようにする。そして係止構造１０１の係止状態が解除された状態で互いの指掛け部１０９、１０９を図９（ａ）に示すように離反させると、挟持部１０７、１０７はチューブＣから離れ、チューブＣの上記圧迫状態は解除される。
しかし上記係止構造１０１の係止状態を解除するには、Ｂ方向への大きな力が必要であり、特に非力な女性の看護師等にとっては非常に困難な作業であり、操作に手間取って緊急時の対応に苦労しているのが現状であった。
【０００５】
【特許文献１】特開２００５−１７７０５３号公報
【考案の開示】
【考案が解決しようとする課題】
【０００６】
上記背景技術及び背景技術が抱えていた問題点を踏まえて本考案が解決しようとする課題を整理すると、非力な女性の看護師等であっても容易に作業でき、操作が簡単で迅速にチューブの圧迫状態の保持と解除を切り換えることができるようにすることである。
本考案はこのような点に基づいてなされたものでその目的とするところは、無理な力をかけなくても誰でも簡単に操作でき、迅速にチューブ状部材の圧迫状態の保持と解除とを切り換えることができる圧迫鉗子を提供することにある。
【課題を解決するための手段】
【０００７】
上記目的を達成するべく本願考案の請求項１による圧迫鉗子は、回動支点を挟んで一方の端部に形成される圧迫部と、回動支点を挟んで他方の端部に形成される操作部と、上記圧迫部と操作部を連結する連結杆と、上記圧迫部の圧迫状態を保持ないし解除する係止構造と、を具備する一対の鉗子片が回動ピンによって所定の角度の範囲に亘って回動し得るように接続されているチューブ状部材に対して適用される圧迫鉗子において、上記係止構造は対向して設けられる一対のラチェット爪を有し、上記操作部に一方向の力を加えるだけで上記圧迫部の圧迫状態の保持と解除とを繰り返し切り換えることができるように構成されていることを特徴とするものである。
又、請求項２による圧迫鉗子は、請求項１に記載の圧迫鉗子において、上記一対のラチェット爪の一方には他方のラチェット爪が圧迫時に通る圧迫経路と、他方のラチェット爪が圧迫解除時に通る復帰経路が連続してループ状に形成されていることを特徴とするものである。
又、請求項３による圧迫鉗子は、請求項２に記載の圧迫鉗子において、上記一方のラチェット爪の圧迫経路には他方のラチェット爪が圧迫時に摺接する案内傾斜面と、上記案内傾斜面によって案内された他方のラチェット爪が係止される鋸刃状の係止段部とが設けられており、上記一方のラチェット爪の復帰経路には、上記係止段部との係止状態が解除された他方のラチェット爪を復帰経路に導いて、上記圧迫部の圧迫状態を解除させる経路切換え傾斜面が設けられていることを特徴とするものである。
又、請求項４による圧迫鉗子は、請求項３に記載の圧迫鉗子において、上記係止段部は複数設けられており、段階的に上記圧迫部の圧迫力が調整できるように構成されていることを特徴とするものである。
又、請求項５による圧迫鉗子は、請求項１乃至４の何れかに記載の圧迫鉗子において、上記圧迫鉗子は充填容器等に充填された薬液又は血液等を患者の体内に供給する場合に使用される医療用のチューブに対して適用されることを特徴とするものである。
【考案の効果】
【０００８】
したがって、本考案による圧迫鉗子によると、回動支点を挟んで一方の端部に形成される圧迫部と、回動支点を挟んで他方の端部に形成される操作部と、上記圧迫部と操作部を連結する連結杆と、上記圧迫部の圧迫状態を保持ないし解除する係止構造と、を具備する一対の鉗子片が回動ピンによって所定の角度の範囲に亘って回動し得るように接続されているチューブ状部材に対して適用される圧迫鉗子において、上記係止構造が対向して設けられる一対のラチェット爪を有し、上記操作部に一方向の力を加えるだけで上記圧迫部の圧迫状態の保持と解除とを繰り返し切り換えることができるように構成されているので、無理な力をかけなくても誰でも簡単に操作でき、迅速にチューブの圧迫状態の保持と解除を切り換えることができるようになる。
又、上記一対のラチェット爪の一方には他方のラチェット爪が圧迫時に通る圧迫経路と、他方のラチェット爪が圧迫解除時に通る復帰経路が連続してループ状に形成されている場合には、ラチェット爪の形状を工夫するだけの比較的簡単な構成によって圧迫部の圧迫状態の保持と解除を一方向に単に力を加えるだけで簡単に切り換えることができるようになる。
又、上記一方のラチェット爪の圧迫経路には他方のラチェット爪が圧迫時に摺接する案内傾斜面と、上記案内傾斜面によって案内された他方のラチェット爪が係止される鋸刃状の係止段部が設けられており、上記一方のラチェット爪の復帰経路には、上記係止段部との係止状態が解除された他方のラチェット爪を復帰経路に導いて、上記圧迫部の圧迫状態を解除させる経路切換え傾斜面が設けられている場合には、ラチェット爪の確実な係合と、係合位置の円滑な切り換えと、圧迫経路から復帰経路への円滑な移行とが実現される。
又、上記係止段部が複数設けられており、段階的に上記圧迫部の圧迫力が調整できるように構成されている場合には、チューブの管径の大きさやチューブの硬さに応じて圧迫部の圧迫力を最適な状態に調整することが可能になる。
又、上記圧迫鉗子が充填容器等に充填された薬液又は血液等を患者の体内に供給する場合に使用される医療用のチューブに対して適用される場合には、従来非力な女性の看護師等にとって非常に困難であった医療用チューブ内を流れる薬液又は血液等の供給停止や流量調整の切り換えを容易に行なえるようになる。
【考案を実施するための最良の形態】
【０００９】
以下、図１乃至図６を参照して本考案の圧迫鉗子１の実施の形態の構成と、その操作手順及び作動態様について説明する。
本考案の圧迫鉗子１は一対の鉗子片３、５と、これらの鉗子片３、５を回動自在に接続する回動ピン７とを備える鋏様の構成をした部材である、
そしてこの圧迫鉗子１は図示しない充填容器等に充填された薬液又は血液等を患者の体内に供給する場合に使用される医療用のチューブＣ等に対して適用される。
【００１０】
一対の鉗子片３、５はほぼ同様な構成を有しており、回動支点となる上記回動ピン７の取付部位を挟んで一方の端部に形成される圧迫部となる挟持部９、１１と、上記回動支点を挟んで他方の端部に形成される操作部となる指掛け部１３、１５とを具備している。
又、上記挟持部９と指掛け部１３との間と、上記挟持部１１と指掛け部１５との間には、これらを連結する連結杆１７、１９が設けられており、連結杆１７に対する指掛け部１３との付け根付近に係止構造を構成する一方のラチェット爪２１が、そして連結杆１９に対する指掛け部１５との付け根付近に係止構造を構成する他方のラチェット爪２３がそれぞれ設けられている。
【００１１】
尚、係止構造を構成する上記一対のラチェット爪２１、２３は、チューブＣに対する挟持部９、１１の圧迫状態を保持ないし解除する目的で設けられる部材で、上記指掛け部１３、１５を接近させる方向Ａのみの一方向に力を加えるだけで、上記挟持部９、１１の圧迫状態の保持と解除とを繰り返し切り換えることができるようになっている。
挟持部９、１１は鳥のくちばしのような形状を有しており、先端部２５、２７が当接した状態で対向する２つの挟持部９、１１の間に僅かに隙間２９が形成されるようになっている。
【００１２】
又、対向する２つの挟持部９、１１の挟持面３１、３３には長手方向に沿って延びる山形断面の突条３５が複数本設けられており、これらの突条３５は図５に示すように挟持部９と挟持部１１とで幅方向に半ピッチ分ずれていて、これらは互いに噛み合うようになっている。
又、指掛け部１３、１５は大人の親指が入るくらいの大きさをした円環状をした部位であり、例えば指掛け部１３には人差し指、指掛け部１５には親指を掛け、２つの指掛け部１３、１５を互いに接近、離反させるようにして使用する。
【００１３】
又、一方のラチェット爪２１には他方のラチェット爪２３が圧迫時に通る圧迫経路３７と、他方のラチェット爪２３が圧迫解除時に通る復帰経路３９が連続してループ状に形成されている。そして一方のラチェット爪２１の圧迫経路３７には他方のラチェット爪２３が圧迫時に摺接する案内傾斜面４１と、上記案内傾斜面４１によって案内された他方のラチェット爪２３が係止される鋸刃状の係止段部４３、４９とが設けられている。
尚、上記係止段部４３、４９は２個設けられており、何れの係止段部４３、４９を選択するかによって上記一対の挟持部９、１１の圧迫力を２段階に切り換えることができるようになっている。
【００１４】
又、上記一方のラチェット爪２１の復帰経路３９には、上記係止段部４３、４９との係止状態が解除された他方のラチェット爪２３を復帰経路３９に導いて、挟持部９、１１による圧迫状態を解除させる経路切換え傾斜面４５が設けられている。
尚、上記案内傾斜面４１と経路切換え傾斜面４５は、幾分凸状に湾曲した傾斜面になっていて、圧迫鉗子１を後方から見た状態で上記案内傾斜面４１は左下がりの傾斜面、上記経路切換え傾斜面４５は右上りの傾斜面にそれぞれ形成されている。
【００１５】
このようにして構成される本考案の圧迫鉗子１は以下述べるような手順で操作され、以下の態様で作動する。
使用者は指掛け部１３に例えば人差し指、指掛け部１５に親指を掛けて圧迫鉗子１を保持する。そして図７（ａ）に示すように指掛け部１３と指掛け部１５を離反方向に移動させて挟持部９、１１を十分に拡開させた状態にする。
次に挟持部９、１１によってチューブＣを挟み、指掛け部１３と指掛け部１５が接近する方向Ａに力を加えて、図７（ｂ）に示す圧迫保持状態にする。
尚、この時、他方のラチェット爪２３は一方のラチェット爪２１の最上部の案内傾斜面４１に当接し、この案内傾斜面４１上を滑るようにして図中、左斜め下方に移動する。そして他方のラチェット爪２３が案内傾斜面４１の下端に達し、案内傾斜面４１との摺接状態が解除されると、他方のラチェット爪２３は図中、右斜め上方に移動して１段目の係止段部４３に係止される。
【００１６】
更に指掛け部１３と指掛け部１５が接近する方向Ａに力を加えると、図７（ｂ）の圧迫保持状態より圧迫力が高まった図７（ｃ）に示す圧迫保持状態に移行する。尚、この時、他方のラチェット爪２３は一方のラチェット爪２１の２つ目の案内傾斜面４７に当接し、この案内傾斜面４７上を滑るようにして図中、左斜め下方に移動する。そして他方のラチェット爪２３が案内傾斜面４７の下端に達し、案内傾斜面４７との摺接状態が解除されると、他方のラチェット爪２３は図中、右斜め上方に移動して２段目の係止段部４９に係止される。
【００１７】
更に指掛け部１３と指掛け部１５が接近する方向Ａに力を加えると、図７（ｄ）に示すように他方のラチェット爪２３は一方のラチェット爪２１の３つ目の案内傾斜面５１に当接し、この案内傾斜面５１上を滑るようにして図中、左斜め下方に移動する。そして他方のラチェット爪２３が案内傾斜面５１の下端を越えて更に下方位置に達し、案内傾斜面５１との摺接状態が解除される。
案内傾斜面５１との摺接状態が解除された他方のラチェット爪２３は図７（ｅ）に示すように図中、右斜め上方に移動し、一方のラチェット爪２３の経路切換え傾斜面４５に当接する。そして他方のラチェット爪２３は当該経路切換え傾斜面４５に案内されて、圧迫経路３７から復帰経路３９に移行し、案内傾斜面４１、４７、５１及び係止段部４３、４９が形成されていない一方のラチェット爪２３の後面側を通って図７（ａ）に示す当初の状態に戻る。
このように本考案によれば無理な力をかけなくても誰でも簡単に圧迫鉗子１を操作でき、迅速、確実にチューブＣの圧迫状態の保持と解除とを切り換えることができるようになっている。
【００１８】
尚、本考案は上述した実施の形態に限定されるものではない。
例えば、本考案の圧迫鉗子１における係止段部４３は２つに限らず、１つでもよいし、３つ以上設けることも可能である。又、鉗子片３と鉗子片５の間に常時、挟持部９、１１を離反させる方向に付勢する例えばバネ部材等からなる図示しない付勢手段を設けることも可能であり、このような付勢手段を設ければ、指掛け部１３、１５を離反させる操作が不要になるため、圧迫鉗子１の使い勝手が更に向上する。この他、本考案の圧迫鉗子１は上記の医療用のチューブＣに限らず、同様の構成の種々のチューブ状部材に適用可能である。
【産業上の利用可能性】
【００１９】
本考案は、充填容器等に充填された薬液又は血液等を患者の体内に供給する医療用チューブを圧迫して薬液又は血液等の流れを一時的に停止させたり、弱めたりする場合に使用される圧迫鉗子の製造、使用分野等で利用でき、特に無理な力をかけなくても誰でも簡単に操作でき、迅速にチューブの圧迫状態の保持と解除とを切り換えたい場合に利用可能性を有する。
【図面の簡単な説明】
【００２０】
【図１】本考案の実施の形態を示す図で、圧迫解除状態の圧迫鉗子を示す斜視図である。
【図２】本考案の実施の形態を示す図で、圧迫保持状態の圧迫鉗子を示す斜視図である。
【図３】本考案の実施の形態を示す図で、圧迫解除状態の圧迫鉗子を示す側面図である。
【図４】本考案の実施の形態を示す図で、圧迫保持状態の圧迫鉗子を示す側面図である。
【図５】本考案の実施の形態を示す図で、圧迫鉗子の挟持部周辺を拡大して示す斜視図である。
【図６】本考案の実施の形態を示す図で、圧迫鉗子のラチェット爪周辺を拡大して示す斜視図である。
【図７】本考案の実施の形態を示す図で、圧迫鉗子の操作手順と作動態様を段階的に示す背面図である。
【図８】従来例を示す図で、圧迫解除状態の圧迫鉗子を示す側面図である。
【図９】従来例を示す図で、圧迫鉗子の操作手順と作動態様を段階的に示す背面図である。
【符号の説明】
【００２１】
１  圧迫鉗子
３  鉗子片
５  鉗子片
７  回動ピン
９  挟持部
１１  挟持部
１３  指掛け部
１５  指掛け部
１７  連結杆
１９  連結杆
２１  ラチェット爪
２３  ラチェット爪
２５  先端部
２７  先端部
２９  隙間
３１  挟持面
３３  挟持面
３５  突条
３７  圧迫経路
３９  復帰経路
４１  案内傾斜面
４３  係止段部
４５  経路切換え傾斜面
４７  案内傾斜面
４９  係止段部
５１  案内傾斜面
Ａ  方向
Ｂ  方向
Ｃ  チューブ
【図１】
0003128374.tif 000003
【図２】
0003128374.tif 000004
【図３】
0003128374.tif 000005
【図４】
0003128374.tif 000006
【図５】
0003128374.tif 000007
【図６】
0003128374.tif 000008
【図７】
0003128374.tif 000009
【図８】
0003128374.tif 000010
【図９】
0003128374.tif 000011